(57)【要約】【課題】  流動床内での燃料ガスの燃焼効率を向上させることができる流動床式焼却炉を提供する。【解決手段】  焼却炉本体Ａ内の下部に流動床１を形成し、流動床１内の下部に該流動床１及び流動床１内に混入された燃焼物を流動攪拌させる流動エアーを散気する散気手段４を設けた流動床式焼却炉において、流動床１内に燃料ガスを噴出して流動床１内で燃焼させる燃料ガス噴出手段５を流動床１内の散気手段４の上部に噴出方向が斜め下方となるように設けた。【選択図】        図１
2005282994.tif 000002
【特許請求の範囲】
【請求項１】
焼却炉本体内の下部に流動床を形成し、流動床内の下部に該流動床及び流動床内に混入された燃焼物を流動攪拌させる流動エアーを散気する散気手段を設けた流動床式焼却炉において、流動床内に燃料ガスを噴出して流動床内で燃焼させる燃料ガス噴出手段を流動床内の散気手段の上部に噴出方向が斜め下方となるように設けて成ることを特徴とする流動床式焼却炉。
【請求項２】
焼却炉本体内の下部に流動床を形成し、流動床内の下部に該流動床及び流動床内に混入された燃焼物を流動攪拌させる流動エアーを散気する散気手段を設けた流動床式焼却炉において、流動床内に燃料ガスを噴出して流動床内で燃焼させる燃料ガス噴出手段を流動床内の散気手段の下部に設けて成ることを特徴とする流動床式焼却炉。
【請求項３】
散気手段から散気される流動エアーに燃料ガスを混入して成ることを特徴とする請求項１又は２記載の流動床式焼却炉。
【発明の詳細な説明】
【技術分野】
【０００１】
本発明は、この発明は、流動床式焼却炉に関するものである。
【背景技術】
【０００２】
従来より、焼却炉として流動床式焼却炉が用いられている（例えば特許文献１参照）。流動床式焼却炉は、図４に示すように、焼却炉本体Ａ内の下部に流動媒体を装填して流動床１を形成し、流動床１の上方を燃焼室２としてある。そして、燃焼物を焼却炉本体Ａ内に矢印ニのように投入して流動床１に混入させるとともに、流動床１内の下部に設けた散気手段４からの流動エアーにて流動攪拌し、流動床１内に設けた燃料ガス噴出手段５にて燃料ガスを流動床１内に噴出させて流動エアーを燃焼用空気として（あるいは燃料ガスに空気を混入しておいて）燃焼させることで、流動床１内に混入された燃焼物を均一に効率良く焼却するものである。
【０００３】
燃料ガス噴出手段５は、流動床１内において下部に設けられる散気手段４の上部に配設してあり、そのノズルから燃料ガスを噴出することで流動床１内に燃料ガスを噴出するものであったが、この場合、単にノズルから側方に燃料ガスを噴出すると、流動床１は流動エアーにて流動攪拌されるため流動床１内に留まらずにすぐに流動床１の上方に燃料ガスが抜けてしまい、流動床１内での燃料ガスの燃焼効率が低いものであった。
【特許文献１】特開２０００−８１２０６号公報
【発明の開示】
【発明が解決しようとする課題】
【０００４】
本発明は上記の点に鑑みてなされたものであり、その目的とするところは、流動床内での燃料ガスの燃焼効率を向上させることができる流動床式焼却炉を提供することを課題とするものである。
【課題を解決するための手段】
【０００５】
上記課題を解決するために請求項１に係る発明にあっては、焼却炉本体Ａ内の下部に流動床１を形成し、流動床１内の下部に該流動床１及び流動床１内に混入された燃焼物を流動攪拌させる流動エアーを散気する散気手段４を設けた流動床式焼却炉において、流動床１内に燃料ガスを噴出して流動床１内で燃焼させる燃料ガス噴出手段５を流動床１内の散気手段４の上部に噴出方向が斜め下方となるように設けて成ることを特徴とするものである。このような構成とすることで、ノズルから単に側方に燃料ガスを噴出する場合のように流動攪拌される流動床１からすぐに上方に燃料ガスが抜けてしまうことがなく、燃料ガスは流動床１内に前記場合よりも長く留まって流動床１内で燃料ガスがよく燃焼して燃焼効率が高まるものである。
【０００６】
また、請求項２に係る発明にあっては、請求項１において、焼却炉本体Ａ内の下部に流動床１を形成し、流動床１内の下部に該流動床１及び流動床１内に混入された燃焼物を流動攪拌させる流動エアーを散気する散気手段４を設けた流動床式焼却炉において、流動床１内に燃料ガスを噴出して流動床１内で燃焼させる燃料ガス噴出手段５を流動床１内の散気手段４の下部に設けて成ることを特徴とするものである。このような構成とすることで、流動床１内の下部に燃料ガスが噴出されることとなって燃料ガスがすぐに流動床１から上方に抜けてしまうことがなく、燃料ガスは流動床１内に従来例で示す場合よりも長く留まって流動床１内で燃料ガスがよく燃焼して燃焼効率が高まるものである。
【０００７】
また、請求項３に係る発明にあっては、請求項１又は２において、散気手段４から散気される流動エアーに燃料ガスを混入して成ることを特徴とするものである。このような構成とすることで、散気手段４からの流動エアーに燃料ガスが予混合されることとなり、流動床１内での燃料ガスの燃焼性が向上するものである。
【発明の効果】
【０００８】
本発明にあっては、ノズルから単に側方に燃料ガスを噴出する場合のように流動攪拌される流動床からすぐに上方に燃料ガスが抜けてしまうことがなく、燃料ガスは流動床内に前記場合よりも長く留まって流動床内で燃料ガスがよく燃焼して燃焼効率が高まるものである。
【発明を実施するための最良の形態】
【０００９】
以下、本発明の一実施形態について添付図面に基づいて説明する。
【００１０】
流動床式焼却炉は、焼却する対象物（以下燃焼物とする）は汚泥、産業廃棄物等、特に限定されないが、本実施形態では汚泥を燃焼物とするものである。
【００１１】
流動床式焼却炉は、焼却炉本体Ａ内の下部に砂等の流動媒体を装填して流動床１を形成するとともに、流動床１の上方を燃焼室２としてある。燃焼室２は、後述するが流動床１内にて燃焼物が燃焼された際に発生した未燃ガスがこの燃焼室２内で燃焼される。
【００１２】
流動床１には散気手段４が設けてある。この散気手段４は、流動床１内に混入された燃焼物を流動攪拌するための流動エアーを散気するもので、通常、流動床１内の下部に配設されるものである。
【００１３】
焼却炉本体Ａ内の流動床１の上部、本実施形態では燃焼室２の内側壁には、ガスバーナー等からなる起動用バーナ３が設けてある。この起動用バーナ３は、焼却炉本体Ａの下部に形成した流動床１を加熱して燃焼物が燃焼可能な状態となるように昇温させるものである。
【００１４】
そして、流動床１内には燃料ガス噴出手段５が設けてある。燃料ガス噴出手段５は、本実施形態では散気手段４の上部に配設してあり、燃料ガス（矢印イ）は燃料ガス噴出手段５に搬送された後、本実施形態においては斜め下方に噴出されるようにノズルが設定されている。なお、燃料ガス噴出手段５から噴出される燃料ガスは、散気手段４にて散気される流動エアーを燃焼用空気とするか、あるいは、燃料ガス噴出手段５から噴出される燃料ガスに燃焼用空気を混入しておいてもよいものである。
【００１５】
この流動床式焼却炉の動作について説明すると、焼却炉本体Ａ内に燃焼物が矢印ニに示すように投入され、これにより流動床１内の流動媒体に燃焼物が混入される。そして、散気手段４より流動エアー（矢印ロ）を散気して流動床１即ち流動媒体と燃焼物の混合物を流動攪拌し、さらに燃料ガス噴出手段５から燃料ガスを流動床１内に噴出して流動エアー及び流動床１の高温によって燃焼させることで、流動床１内の温度を一定に保ちつつ燃焼物を燃焼させることができる。
【００１６】
そしてこの時、本実施形態のように燃料ガス噴出手段５からの燃料ガスの噴出方向が斜め下方となるようにノズルを設定したことで、ノズルから単に側方に燃料ガスを噴出する場合のように流動攪拌される流動床１からすぐに上方に燃料ガスが抜けてしまうことがなく、燃料ガスは流動床１内に前記場合よりも長く留まって流動床１内で燃料ガスがよく燃焼して燃焼効率が高まるものである。
【００１７】
燃焼物の燃焼の際に発生した未燃ガスは上述したように燃焼室２で燃焼し、これらの排ガスは全て矢印ホのように排出される。
【００１８】
次に、図２に基づいて他の実施形態について説明する。なお、図１に示す上実施形態と同じ部分については同符号を付して説明を省略し、異なる部分についてのみ説明を行う。
【００１９】
本実施形態においては、燃料ガス噴出手段５を流動床１内の散気手段４の下部に設けたことに特徴を有する。図中の５’は保炎用のパイロットバーナを示し、矢印ハは燃焼用空気を示す。
【００２０】
これにより、燃料ガス噴出手段５から燃料ガスを流動床１内に噴出した際、流動床１内の下部に燃料ガスが噴出されることとなって燃料ガスがすぐに流動床１から上方に抜けてしまうことがなく、燃料ガスは流動床１内に従来例で示す場合よりも長く留まって流動床１内で燃料ガスがよく燃焼して燃焼効率が高まるものである。
【００２１】
次に、図３に基づいて他の実施形態について説明する。なお、上実施形態と同じ部分については同符号を付して説明を省略し、異なる部分についてのみ説明を行う。
【００２２】
本実施形態においては、流動エアに燃料ガスを混入しておき、散気手段４から流動エア（矢印ロ）とともに燃料ガス（矢印イ）を散気させるようにしてある。
【００２３】
これにより、散気手段４からの流動エアーに燃料ガスが予混合されることとなり、流動床１内での燃料ガスの燃焼性が向上するものである。
【図面の簡単な説明】
【００２４】
【図１】本発明の一実施形態における構成図である。
【図２】他の実施形態における構成図である。
【図３】更に他の実施形態における構成図である。
【図４】従来例の構成図である。
【符号の説明】
【００２５】
Ａ  焼却炉本体
１  流動床
３  起動用バーナ
４  散気手段
５  ガス噴出手段
５’  保炎用のパイロットバーナ
【図１】
2005282994.tif 000003
【図２】
2005282994.tif 000004
【図３】
2005282994.tif 000005
【図４】
2005282994.tif 000006